(57)【要約】【課題】細断によらず機密文書の機密保持を可能とすると共に、機密文書上の文面を復元不可能な機密保持を可能とする。【解決手段】給紙装置が給紙した記録媒体上に、感光ドラムの表面に露光装置が書き込んだ静電潜像をトナーで現像したトナー像を転写し、定着装置がトナー像を記録媒体上に定着させる画像形成装置であって、印刷実行指示、及び、塗潰し廃棄モードへの移行指示に係るユーザの操作を受け付ける操作部と、前記操作部がユーザによる塗潰し廃棄モードへの移行指示を受け付けると塗潰し廃棄モードへ移行し、塗潰し廃棄モードにおいて、前記給紙装置にセットされた記録媒体の全てに対して、当該記録媒体上の既成画像をトナー像によって塗潰す印刷を行うよう制御する塗潰手段と、を備える。【選択図】図７
2007253507.tif 000002
【特許請求の範囲】
【請求項１】
給紙装置が給紙した記録媒体上に、感光ドラムの表面に露光装置が書き込んだ静電潜像をトナーで現像したトナー像を転写し、定着装置がトナー像を記録媒体上に定着させる画像形成装置であって、
印刷実行指示、及び、塗潰し廃棄モードへの移行指示に係るユーザの操作を受け付ける操作部と、
前記操作部がユーザによる塗潰し廃棄モードへの移行指示を受け付けると塗潰し廃棄モードへ移行し、塗潰し廃棄モードにおいて、前記給紙装置にセットされた記録媒体の全てに対して、当該記録媒体上の既成画像をトナー像によって塗潰す印刷を行うよう制御する塗潰手段と、
を備えることを特徴とする画像形成装置。
【請求項２】
給紙装置が給紙した記録媒体上に、感光ドラムの表面に露光装置が書き込んだ静電潜像をトナーで現像したトナー像を転写し、定着装置がトナー像を記録媒体上に定着させる画像形成装置であって、
印刷対象とする記録媒体の枚数指定、印刷実行指示、及び、塗潰し廃棄モードへの移行指示に係るユーザの操作を受け付ける操作部と、
前記操作部がユーザによる塗潰し廃棄モードへの移行指示を受け付けると塗潰し廃棄モードへ移行し、塗潰し廃棄モードにおいて、前記給紙装置にセットされた記録媒体のうち前記操作部が受け付けたユーザの指定枚数相当分に対して、当該記録媒体上の既成画像をトナー像によって塗潰す印刷を行うよう制御する塗潰手段と、
を備えることを特徴とする画像形成装置。
【請求項３】
前記塗潰手段は、操作指定された既成画像の指定箇所を塗潰すことを特徴とする請求項１又は２の何れかに記載の画像形成装置。
【請求項４】
前記塗潰手段は、既成画像を読み取って既成画像或いは既成画像の指定箇所の最高濃度を検出し、最高濃度で既成画像或いは既成画像の指定箇所を塗潰すことを特徴とする請求項１から３の何れかに記載の画像形成装置。
【請求項５】
前記塗潰手段は、操作指定された塗潰しパターンで既成画像或いは既成画像の指定箇所を塗潰すことを特徴とする請求項１から４の何れかに記載の画像形成装置。
【請求項６】
表示部を備え、
前記塗潰手段は、前記塗潰しパターンの選択肢を前記表示部に表示させると共に、記録媒体の面積に対して前記塗潰しパターンにより塗潰される面積の割合である塗潰し割合をも前記表示部に表示させる
ことを特徴とする請求項５に記載の画像形成装置。
【発明の詳細な説明】
【技術分野】
【０００１】
本発明は、画像形成装置に関する。
【背景技術】
【０００２】
従来、機密文書の廃棄にあたっては、機密保持のために、シュレッダーにより、機密文書を細断し、機密文書に記載された文面を読み取り困難な状態にしてから、廃棄することが多い。従来用いられているシュレッダーとしては、特許文献１及び２に示すようなものがある。
【特許文献１】特開２００２−１８６８７１号公報
【特許文献２】特開２０００−３５４７８２号公報
【発明の開示】
【発明が解決しようとする課題】
【０００３】
文書は、シュレッダーで細断されることにより、細断前よりも体積が増大してしまう。つまり、シュレッダーによる機密保持は、廃棄物の体積を大きくしてしまうという不都合がある。廃棄物の体積が大きいと、廃棄処理に手間がかかり、煩雑である。
また、細断された文書は、廃棄の際に、床やシュレッダー内等に散乱し易いので、廃棄処理に加えて、シュレッダー周囲の掃除にも手間を要し、好ましくない。
更に、シュレッダーは、細断くずを溜めておく容器が満杯になってしまうと、細断を続けられないので、容器を空ける作業を行わなければならない。
そして、文書は、シュレッダーにより細断されても、その細断後の形状が例えば短冊状である場合等には特に、細断前の形状に復元することが不可能ではないので、シュレッダーによる機密保持は、機密保持の度合が低いと言える。
【０００４】
本発明は、上述した事情に鑑みてなされたもので、細断によらず機密文書の機密保持を可能とすると共に、機密文書上の文面を復元不可能な機密保持を可能とすることを目的とする。
【課題を解決するための手段】
【０００５】
上記課題を解決するために、本発明では、第１の手段として、給紙装置が給紙した記録媒体上に、感光ドラムの表面に露光装置が書き込んだ静電潜像をトナーで現像したトナー像を転写し、定着装置がトナー像を記録媒体上に定着させる画像形成装置であって、印刷実行指示、及び、塗潰し廃棄モードへの移行指示に係るユーザの操作を受け付ける操作部と、前記操作部がユーザによる塗潰し廃棄モードへの移行指示を受け付けると塗潰し廃棄モードへ移行し、塗潰し廃棄モードにおいて、前記給紙装置にセットされた記録媒体の全てに対して、当該記録媒体上の既成画像をトナー像によって塗潰す印刷を行うよう制御する塗潰手段と、を備えるものを採用した。
【０００６】
また、第２の手段として、給紙装置が給紙した記録媒体上に、感光ドラムの表面に露光装置が書き込んだ静電潜像をトナーで現像したトナー像を転写し、定着装置がトナー像を記録媒体上に定着させる画像形成装置であって、印刷対象とする記録媒体の枚数指定、印刷実行指示、及び、塗潰し廃棄モードへの移行指示に係るユーザの操作を受け付ける操作部と、前記操作部がユーザによる塗潰し廃棄モードへの移行指示を受け付けると塗潰し廃棄モードへ移行し、塗潰し廃棄モードにおいて、前記給紙装置にセットされた記録媒体のうち前記操作部が受け付けたユーザの指定枚数相当分に対して、当該記録媒体上の既成画像をトナー像によって塗潰す印刷を行うよう制御する塗潰手段と、を備えるものを採用した。
【０００７】
第３の手段として、上記第１又は２の手段において、前記塗潰手段は、操作指定された既成画像の指定箇所を塗潰すものを採用した。
【０００８】
第４の手段として、上記第１から３の何れかの手段において、前記塗潰手段は、既成画像を読み取って既成画像或いは既成画像の指定箇所の最高濃度を検出し、最高濃度で既成画像或いは既成画像の指定箇所を塗潰すものを採用した。
【０００９】
第５の手段として、上記第１から４の何れかの手段において、前記塗潰手段は、操作指定された塗潰しパターンで既成画像或いは既成画像の指定箇所を塗潰すものを採用した。
【００１０】
第６の手段として、上記第５の手段において、表示部を備え、前記塗潰手段は、前記塗潰しパターンの選択肢を前記表示部に表示させると共に、記録媒体の面積に対して前記塗潰しパターンにより塗潰される面積の割合である塗潰し割合をも前記表示部に表示させるものを採用した。
【発明の効果】
【００１１】
本発明によれば、トナーで画像形成を行う画像形成装置で用紙を塗潰すようにしたので、機密文書の文面をトナーで塗潰すことにより、細断によらず機密文書の機密保持を行うことができ、機密文書上の文面を復元不可能な機密保持を行うことができる。
また、本発明によれば、指定箇所のみ塗潰すようにすることにより、不必要な箇所を塗潰すことがなくなるので、塗潰しに要するトナーを節約することができる。
【００１２】
更に、本発明によれば、既成画像或いは既成画像の指定箇所の最高濃度で塗潰すようにすることにより、不必要に濃く塗潰すことがなくなるので、塗潰しに要するトナーを節約することができる。
また、本発明によれば、ユーザ指定の塗潰しパターンにより塗潰すようにすることにより、ユーザの任意で、塗潰す面積を減らすことができるので、ユーザの任意で、トナーを節約することができる。
更に、本発明によれば、塗潰しパターンとこれによる塗潰し割合とを表示するようにしたので、ユーザは、塗潰しパターンによる塗潰し割合を確認することができ、トナーの節約の程度を認識することができる。
【発明を実施するための最良の形態】
【００１３】
以下、本発明の画像形成装置の一実施形態である複合機について図面を参照して説明する。図１は、本実施形態における複合機の構成を示す概略図であり、図２は、複合機の構成を示すブロック図である。
本複合機は、操作部１、表示部２、画像読取部３、画像記憶部４、画像処理部５、印刷部６及び制御部７（塗潰手段）を備えている。
【００１４】
操作部１は、ユーザによる各種の操作指示を受け付け、当該操作指示を制御部７に出力するものであり、図３に例示するように、スタートキー１ａ、テンキー１ｂ、タッチパネル１ｃや、コピー、プリンタ、スキャナ、ファクスの各種機能の何れを使用するかの操作指示を受け付ける機能選択キー１ｄ等から構成されている。
【００１５】
表示部２は、上記タッチパネル１ｃとして機能する液晶ディスプレイであり、制御部７から入力された表示指示に基づいて文字や図形などで各種情報を表示すると共に、ユーザが表示面に触れることによって入力された操作指示を制御部７に出力する。
【００１６】
画像読取部３は、原稿自動送り装置（ＡＤＦ）３ａと、スキャナ部３ｂと、を備えている。このような画像読取装置３は、制御部７による制御の下に、原稿自動送り装置３ａから供給された原稿の画像をスキャナ部３ｂで順次読み取り、原稿画像の色彩を示すカラー画像データを画像記憶部４に出力する。
【００１７】
画像記憶部４は、ハードディスク等の外部記憶装置或いは／及び半導体メモリから構成されており、本複合機のコピー機能が用いられる場合には、画像読取部３から入力された原稿画像のカラー画像データを記憶する。この画像記憶部４は、制御部７による制御の下に、上記原稿画像のカラー画像データの書き込みを行うと共に、当該カラー画像データを読み出して画像処理部５に出力する。
【００１８】
画像処理部５は、制御部７による制御の下に、画像記憶部４から入力されたカラー画像データを印刷用のカラー画像データに画像変換して印刷部６に出力する。
【００１９】
印刷部６は、制御部７による制御の下に、印刷紙（記録媒体）を搬送しつつ当該印刷紙にトナーを付着させることにより上記カラー画像データに基づいて原稿画像を印刷紙上に形成（印刷）するものであり、周知の給紙カセット８（給紙装置）、感光ドラム９、露光装置１０、定着装置１１、排紙トレイ１２等を備えている。
【００２０】
制御部７は、操作部１或いは表示部２から入力される操作指示、内部メモリに記憶された制御プログラム及び各種制御用データ等に基づいて、複合機の全体動作を制御するものである。即ち、制御部７は、上記制御プログラム、操作指示及び各種制御用データ等に基づいて制御演算を行うＣＰＵ（Central Processing Unit）及び他の各部（つまり操作部１、表示部２、画像読取部３、画像記憶部４、画像処理部５及び印刷部６）とのデータ授受を行う各種入出力インタフェース回線等から構成されており、上記他の各部を統括的に制御し、例えば本複写機のコピー機能が用いられる場合には、画像読取部３が読み取った原稿画像を印刷部６で複写印刷させる。
【００２１】
更に、本複合機は、手差し印刷に対応しており、手差し給紙トレイ１３（給紙装置）を備えている。
手差し給紙トレイ１３には、この手差し給紙トレイ１３に用紙がセットされたことを検知する用紙検知センサ１３ａが取り付けられている。用紙検知センサ１３ａによる検知結果は制御部７へ出力される。
また、手差し給紙トレイ１３には、ラインセンサ１４が設けられている。ラインセンサ１４は、機密文書上の既成画像を、白から黒までの明暗の階調で表すグレースケールで読み込むのに用いられる。ラインセンサ１４が読み込んだ画像データは、画像記憶部４に出力される。
【００２２】
ここで、本複合機は、塗潰し廃棄モードを備えている。塗潰し廃棄モードは、上記制御プログラムに基づいて制御部７の制御により実行されるもので、手差し給紙トレイ１３にセットされた用紙（機密文書）の全てに対して、用紙上の既成画像をトナー像によって塗潰す塗潰し処理を行うものである。
【００２３】
そして、本複写機は、手差し給紙トレイ１３から給紙されてラインセンサ１４で既成画像が読み取られた機密文書を、塗潰し処理における再給紙に備えて一時的に収納する再給紙用収納部１５を備えている。
【００２４】
次に、図４に示すフローチャートを用いて、塗潰し処理について説明する。図５〜図１０は、塗潰し処理中の表示部２の表示例である。
複合機のコピー機能が選択されている場合には、表示部２には、図５に示すような基本画面が表示される。この状態において、ユーザが、タッチパネル１ｃにより「ユーザ機能」タブＴ１を選択すると、制御部７は、図６に示すようなユーザ機能画面を表示部２に表示させる。この状態において、ユーザが、タッチパネル１ｃにより「塗潰し」キーＫ１を選択すると、制御部７は、図７に示すような塗潰し機能に対する各種操作指示を受け付ける画面を表示部２に表示させる。
【００２５】
ここで、制御部７は、図５に示すコピー機能の基本画面に、図６に示す「ユーザ機能」タブＴ１上の「塗潰し」キーＫ１と同一の機能を有するショートカットキーｋ１を表示させている。制御部７は、このショートカットキーｋ１のように、ユーザが任意で、よく使う機能等を呼び出すためのショートカットキーをコピー機能の基本画面に置く操作指示を、タッチパネル１ｃにより受け付けている。
【００２６】
図７に示す画面が表示された状態では、タッチパネル１ｃは、塗潰し領域を指定するか否かの選択操作及び塗潰しパターンの選択操作を受け付ける。このとき、制御部７は、塗潰しパターンのデフォルトとして１００％を予め選択しておき、表示部２には、１００％の塗潰しパターンを選択した状態の画像を表示させる。なお、ここで選択可能な塗潰しパターンは、予め、画像記憶部４に記憶されている。制御部７は、表示部２に表示させる各塗潰しパターンの画像の下に、各塗潰しパターンによる塗潰し割合を表示して、ユーザが各塗潰しパターンの塗潰し割合を確認しトナーの節約の程度を認識できるようにしている。
【００２７】
ユーザが、タッチパネル１ｃにより「塗潰し」キーＫ１又はショートカットキーｋ１を操作することによって、塗潰し廃棄モードを選択すると（ステップＳ１）、タッチパネル１ｃが出力した信号を入力された制御部７は、図７に示す画面を表示部２に表示させると共に、用紙検知センサ１３ａの出力により手差し給紙トレイ１３に用紙（機密文書等）がセットされているかを判断し（ステップＳ２）、用紙がセットされていれば（ステップＳ２のＹｅｓ）、塗潰し領域指定があるかを判断し（ステップＳ３）、塗潰し領域指定がなければ（ステップＳ３のＮｏ）、スタートキー１ａが操作されたかを判断する（ステップＳ４）。
【００２８】
スタートキー１ａが操作されていれば（ステップＳ４のＹｅｓ）、制御部７は、塗潰しパターンに変更があったかを判断する（ステップＳ５）。塗潰しパターンの変更がなかった場合には（ステップＳ５のＮｏ）、塗潰しパターンはデフォルトの１００％が選択されたままであるので、制御部７は、画像処理部５に、１００％の塗潰しパターンによって用紙の全面を黒トナーにて塗潰すような画像のデータを印刷すべき画像のデータとして印刷部６に出力させる。
そして、制御部７は、印刷部６に、手差し給紙トレイ１３にセットされた用紙全てに、画像処理部５から入力された画像データに基づいて印刷するよう指示し、この指示を受けた印刷部６は、手差し給紙トレイ１３から用紙を給紙し、画像処理部５から入力された画像データに基づいて、用紙の全面を黒トナーにて塗潰すように印刷し、排紙トレイ１２に排紙する（ステップＳ６）。
【００２９】
ステップＳ５において、塗潰しパターンに変更があった場合には（ステップＳ５のＹｅｓ）、制御部７は、画像記憶部４に、操作指示された塗潰しパターンを読み出して画像処理部５へ出力させる。
続いて制御部は、画像処理部５に、画像記憶部４から入力された塗潰しパターンによって用紙の全面を黒トナーにて塗潰すような画像のデータを印刷すべき画像のデータとして印刷部６に出力させる。
そして、制御部７は、印刷部６に、手差し給紙トレイ１３にセットされた用紙全てに、画像処理部５から入力された画像データに基づいて印刷するよう指示し、この指示を受けた印刷部６は、手差し給紙トレイ１３から用紙を給紙し、画像処理部５から入力された画像データに基づいて、指定の塗潰しパターンによって用紙の全面を黒トナーにて塗潰すように印刷し、排紙トレイ１２に排紙する（ステップＳ７）。
【００３０】
図７に示す画面で「領域指定」キーＫ２が操作された場合には、制御部７は、表示部２に表示させる画面を図８に示す画面に切り替える。図８に示す画面が表示された状態では、タッチパネル１ｃは、塗潰し領域の指定を受け付けるに先立ち、塗潰す対象の画像の読み込みを開始する操作を、「プレビュー開始」キーＫ３にて受け付ける。なお、この画面には、この後の画面で読み込んだ画像のプレビューを表示するにあたり、その方向を指示する操作を受け付ける方向指示キーＫ４をも表示させる。
ステップＳ３において、塗潰し領域指定があれば（ステップＳ３のＹｅｓ）、制御部７は、処理をステップＳ１１へ進める。そして、制御部７は、「プレビュー開始」キーＫ３が押下されたかを判断し（ステップＳ１１）、「プレビュー開始」キーＫ３が押下された場合には（ステップＳ１１のＹｅｓ）、手差し給紙トレイ１３から用紙を給紙し、その際、ラインセンサ１４により、用紙上の既成画像をグレースケールで読み込み（ステップＳ１２）、既成画像を画像記憶部４に記憶させる。ここで、制御部７は、手差し給紙トレイ１３から給紙されてラインセンサ１４により既成画像を読み込まれた用紙を、再給紙用収納部１５に一旦収納する。
【００３１】
続いて、制御部７は、図９に示すように、表示部２に、既成画像のプレビュー画像Ｐ１を表示させる（ステップＳ１３）。制御部７は、タッチパネル１ｃが拡大／縮小キーＫ５への操作を受け付けると、表示部２に、プレビュー画像Ｐ１を拡大／縮小表示させる。表示部２にこの画面を表示させた状態で、ユーザが表示部２に表示されたプレビュー画像Ｐ１の塗潰したい箇所に触れることにより、タッチパネル１ｃは、塗潰す箇所の操作指定を受け付ける（ステップＳ１４）。そして、「やり直し」キーＫ６が操作された場合には（ステップＳ１５の「やり直し」）、既に行われた塗潰し箇所の指定をクリアし、再度、塗潰し箇所の指定を受け付ける。
【００３２】
ステップＳ１５において、「ＯＫ」キーＫ７が操作された場合には（ステップＳ１５の「ＯＫ」）、制御部７は、塗潰し箇所として指定された領域について、最も濃度の高い部分の濃度つまりピーク濃度を算出する（ステップＳ１６）。制御部７は、ピーク濃度に応じて、用紙を塗潰す濃度を濃いものから薄いものまで例えば５段階に変更し、不必要に濃く塗潰すことをなくしている。
そして、制御部７は、表示部２に、図１０に示すような画面を表示させ、タッチパネル１ｃにより、ユーザによる塗潰しパターンの選択操作を受け付ける。このとき、制御部７は、塗潰しパターンのデフォルトとして１００％を予め選択しておき、表示部２には、１００％の塗潰しパターンを選択した状態の画像を表示させる。
また、この画面には、塗潰し領域の再指定を受け付ける「領域再指定」キーＫ８を表示させている。「領域再指定」キーＫ８が押下された場合には（ステップＳ１７のＹｅｓ）、制御部７は、処理をステップＳ１４へ戻し、プレビュー画像Ｐ１上への塗潰し箇所の操作指定を受け付け直す。
【００３３】
そして、スタートキー１ａが操作されると（ステップＳ１８）、制御部７は、塗潰しパターンに変更があったかを判断する（ステップＳ１９）。塗潰しパターンの変更がなかった場合には（ステップＳ１９のＮｏ）、塗潰しパターンはデフォルトの１００％が選択されたままであるので、制御部７は、画像処理部５に、１００％の塗潰しパターンによって用紙の塗潰し領域として指定された領域を黒トナーにて塗潰すような画像のデータを印刷すべき画像のデータとして印刷部６に出力させる。
そして、制御部７は、印刷部６に、再給紙用収納部１５に収納された用紙に、画像処理部５から入力された画像データに基づいて印刷するよう指示し、この指示を受けた印刷部６は、再給紙用収納部１５から用紙を給紙し、画像処理部５から入力された画像データに基づいて、用紙の塗潰し領域として指定された領域を黒トナーにて塗潰すように印刷し、排紙トレイ１２に排紙する（ステップＳ２０）。
【００３４】
ステップＳ１９において、塗潰しパターンに変更があった場合には（ステップＳ１９のＹｅｓ）、制御部７は、画像記憶部４に、操作指示された塗潰しパターンを読み出して画像処理部５へ出力させる。
続いて制御部７は、画像処理部５に、画像記憶部４から入力された塗潰しパターンによって用紙の塗潰し領域として指定された領域を黒トナーにて塗潰すような画像のデータを印刷すべき画像のデータとして印刷部６に出力させる。
そして、制御部７は、印刷部６に、再給紙用収納部１５に収納された用紙に、画像処理部５から入力された画像データに基づいて印刷するよう指示し、この指示を受けた印刷部６は、再給紙用収納部１５から用紙を給紙し、画像処理部５から入力された画像データに基づいて、指定の塗潰しパターンによって用紙の塗潰し領域として指定された領域を黒トナーにて塗潰すように印刷し、排紙トレイ１２に排紙する（ステップＳ２１）。
【００３５】
なお、本実施形態では、塗潰し領域の指定を行う場合、手差し給紙トレイ１３の下流に設けたラインセンサ１４によって、用紙の既成画像を読み取ってプレビュー表示するようにしたが、実施にあたっては、ラインセンサ１４を用いず、画像読取部３で用紙の既成画像を読み取ってプレビュー表示した後、図１０に代えて図１１を表示し、ユーザに対して、用紙を手差し給紙トレイ１３に移動するよう求めてもよい。
また、本実施形態では、プレビュー画像Ｐ１を表示部２に表示させ、タッチパネル１ｃにてフリーハンドでの塗潰し箇所の操作指定を受け付けているが、実施にあたっては、例えば、上半分や下半分、右半分、左半分等という塗潰し領域を予め設定しておき、これらの塗潰し領域のうちのいずれかをユーザに選択させるようにしてもよい。
更に、本実施形態では、予め画像記憶部４に記憶させた塗潰しパターンを用いているが、実施にあたっては、塗潰しパターンを画像形成装置に接続されたネットワーク経由でダウンロードし、この塗潰しパターンを用いてもよい。
また、本実施形態では、塗潰し廃棄モードにおいて、手差し給紙トレイ１３にセットした用紙の全てに対して塗潰し処理を行うようにしたが、実施にあたっては、ユーザから、操作部１により、塗潰し対象とする用紙の枚数指定に係る操作を受け付け、給紙カセット８にセットされた用紙の指定枚数目までに対して、塗潰し処理を行うようにしてもよい。
更に、本実施形態では、複合機を画像形成装置の一例として説明したが、実施にあたっては、複写機やプリンタ等、他の画像形成装置であってもよい。
【図面の簡単な説明】
【００３６】
【図１】本発明の一実施形態における複合機の構成を示す概略図である。
【図２】本発明の一実施形態における複合機の構成を示すブロック図である。
【図３】本発明の一実施形態における複合機が備える操作部を示す概略図である。
【図４】本発明の一実施形態における塗潰し処理の流れの概略を表すフローチャートである。
【図５】本発明の一実施形態における表示部の表示例である。
【図６】本発明の一実施形態における表示部の表示例である。
【図７】本発明の一実施形態における表示部の表示例である。
【図８】本発明の一実施形態における表示部の表示例である。
【図９】本発明の一実施形態における表示部の表示例である。
【図１０】本発明の一実施形態における表示部の表示例である。
【図１１】本発明の一実施形態における表示部の表示例である。
【符号の説明】
【００３７】
１…操作部、  １ａ…スタートキー、  １ｂ…テンキー、  １ｃ…タッチパネル、  １ｄ…機能選択キー、  ２…表示部、  ３…画像読取部、  ３ａ…原稿自動送り装置（ＡＤＦ）、  ３ｂ…スキャナ部、  ４…画像記憶部、  ５…画像処理部、  ６…印刷部、  ７…制御部（塗潰手段）、  ８…給紙カセット（給紙装置）、  ９…感光ドラム、  １０…露光装置、  １１…定着装置、  １２…排紙トレイ、  １３…手差し給紙トレイ（給紙装置）、  １３ａ…用紙検知センサ、  １４…ラインセンサ、  １５…再給紙用収納部、  Ｔ１…「ユーザ機能」タブ、  Ｋ１…「塗潰し」キー、  Ｋ２…「領域指定」キー、  Ｋ３…「プレビュー開始」キー、  Ｋ４…方向指示キー、  Ｋ５…拡大／縮小キー、  Ｋ６…「やり直し」キー、  Ｋ７…「ＯＫ」キー、  Ｋ８…「領域再指定」キー、  Ｐ１…プレビュー画像
【図１】
2007253507.tif 000003
【図２】
2007253507.tif 000004
【図３】
2007253507.tif 000005
【図４】
2007253507.tif 000006
【図５】
2007253507.tif 000007
【図６】
2007253507.tif 000008
【図７】
2007253507.tif 000009
【図８】
2007253507.tif 000010
【図９】
2007253507.tif 000011
【図１０】
2007253507.tif 000012
【図１１】
2007253507.tif 000013